(57)【特許請求の範囲】
【請求項１】
建築物の壁面に背面を接して設置されるとともに、背板がないことにより開放した状態の背面が壁面に閉塞される壁面利用収納設備であって、
上部に配置される天板と、下部に配置される底部と、左右両側に配置される側部と、これら天板と底部と左右の側部に囲まれた空間の前面側に配置される開閉部材及び該開閉部材を支持する矩形枠状の枠部を有する開閉枠部とを備え、棚板の位置が変更可能となるように、前記枠部に前記棚板が支持され、
前記天板、底部、側部及び開閉枠部が建築物内に運び込まれて前記壁面に背面を接した状態で組み立てられることを特徴とする壁面利用収納設備。
【請求項２】
建築物の壁面に背面を接して設置されるとともに、背板がないことにより開放した状態の背面が壁面に閉塞される壁面利用収納設備であって、上部に配置される天板と、下部に配置される底部と、左右両側に配置される側部と、これら天板と底部と左右の側部に囲まれた空間の前面側に配置される開閉部材及び該開閉部材を支持する矩形枠状の枠部を有する開閉枠部とを備え、これら天板、底部、側部及び開閉枠部が建築物内に運び込まれて前記壁面に背面を接した状態で組み立てられ、
前記壁面に棚板取付部が取り付けられ、該棚板取り付け部に棚板が支持されていることを特徴とする壁面利用収納設備。
【請求項３】
建築物の壁面に背面を接して設置されるとともに、背板がないことにより開放した状態の背面が壁面に閉塞される壁面利用収納設備であって、上部に配置される天板と、下部に配置される底部と、左右両側に配置される側部と、これら天板と底部と左右の側部に囲まれた空間の前面側に配置される開閉部材及び該開閉部材を支持する矩形枠状の枠部を有する開閉枠部とを備え、これら天板、底部、側部及び開閉枠部が建築物内に運び込まれて前記壁面に背面を接した状態で組み立てられ、
少なくとも一方の側部を前記壁面と直交するコーナ部壁面に接して配置することが可能とされ、かつ、前記側部に設けられる側板として、該側板の外側の側面が、コーナ部壁面に接することなく露出する場合に用いられる化粧側板と、前記側板の外側の側面がコーナ部壁面に接して露出しない場合に用いられる調整材とが用意され、これら化粧側板と調整材とのうちのいずれかを選択して使用可能とされていることを特徴とする壁面利用収納設備。
【請求項４】
請求項３記載の壁面利用収納設備において、前記化粧側板及び調整材の内面側に棚板を支持する棚板支持部が設けられていることを特徴とする壁面利用収納設備。
【請求項５】
請求項４記載の壁面利用収納設備において、前記調整材が、前側に配置される前部調整材と後ろ側に配置される後部調整材とからなり、これら前部調整材と後部調整材との両方に棚板支持部が設けられていることを特徴とする壁面利用収納設備。
【請求項６】
請求項１〜５のいずれか一つに記載の壁面利用収納設備において、前記壁面に受桟が取り付けられ、該受桟に少なくとも天板が支持されることにより、前記底部が床面から離れて全体が吊られた状態となっていることを特徴とする壁面利用収納設備。
【請求項７】
請求項６に記載の壁面利用収納設備において、左右両側部が前記壁面と直交するコーナ部壁面に接して配置され、該コーナ部壁面にも受桟が取り付けられ、前記壁面に取り付けられた受桟と前記コーナ部壁面に取り付けられた受桟との両方により吊られた状態に支持されていることを特徴とする壁面利用収納設備。
【発明の詳細な説明】
【０００１】
【発明の属する技術分野】
本発明は、建築物の壁面に背面を接して設置されるとともに、背板がないことより開放した状態の背面が壁面に閉塞される壁面利用収納設備に関する。
【０００２】
【背景の技術】
従来より、住宅内の台所や玄関等に壁面を利用した収納設備が設置されている。この収納設備の一例として、全体が吊られた状態で壁面に設置される吊戸棚があげられる。例えば特開平５−９１９２５号公報に開示されている吊戸棚は、底面を形成する平板状の底板と、底板の両端から垂直に立設する側板と、この両側板の上端面間に水平に渡された天板とを備え、背面側に底板・側板・天板からなる背面側の開口を覆う背板を設置し略四角箱状に形成されたものであった。そして、壁面に吊戸棚を設置する際には、壁面に受材を設けて、この受材に吊戸棚を固定するようにしていた。
【０００３】
しかし、上記した吊戸棚は、全体形状が箱状であるため、部材数が多く組み立てが容易ではない。また、コストも高く、在庫管理も大変であるという問題があった。さらに、全体形状が箱状に設定されているため、形状の異なるものを作ることが難しく、種々のバリエーションのものに展開することが容易ではないという問題があった。また、上記した吊戸棚は、上述のように組み立てが困難なので、予め工場等で組み立てるのが好ましいが、輸送時において、箱状だとかさばるという問題もあった。
【０００４】
そこで、これら問題点を解決すべく特開平１１−７５９５１号公報に開示される吊戸棚が考案された。この吊戸棚は、全体形状が箱状に形成されておらず、天板、底板及び収納箱の三種類の部材により形成されている。そして、天板は収納箱の上面に固定され、底板は収納箱の下面に固定されている。すなわち、通常の側板を形成する代わりに、天板及び底板の間に収納箱が挟み込まれている。そして、これらの構成によって前記した問題点を解決するようにした。
【０００５】
【発明が解決しようとする課題】
しかしながら、この吊戸棚は全体形状が箱状ではないものの、収納箱を壁面に設置して天板及び底板を固定するため、収納箱を必ず壁面に取り付けなければならない。この収納箱は箱状であって組立が容易ではないのに加え、吊戸棚全体の形状をある程度限定したものとする。そして、箱状の収納箱は輸送時にかさばり、前記した問題点を解決するには不充分であった。また、背板を使用せずに壁面に背板の代用をさせているが、収納箱が設置される部分には背板が取り付けられており、収納設備の背面に相当する壁面を有効に利用しているとは言えなかった。
【０００６】
そこで本発明は、組立が容易で、かつ、輸送時において部材がかさばらない収納設備を提供するとともに、収納設備の背面に相当する壁面を背板として有効に利用することを目的とする。
【０００７】
【課題を解決するための手段】
請求項１記載の発明は、例えば図２、３、８、９に示すように、建築物の壁面に背面を接して設置されるとともに、背板がないことにより開放した状態の背面が壁面に閉塞される壁面利用収納設備（以下、収納設備と称する）Ａであって、上部に配置される天板１と、下部に配置される底部２と、左右両側に配置される側部３と、これら天板１と底部２と左右の側部３に囲まれた空間の前面側に配置される開閉部材（扉）４ｂ及び該開閉部材４ｂを支持する矩形枠状の枠部４ａを有する開閉枠部４とを備え、棚板８の位置が変更可能となるように、前記枠部４ａに前記棚板８が支持され、
前記天板１、底部２、側部３及び開閉枠部４が建築物内に運び込まれて前記壁面に背面を接した状態で組み立てられることを特徴とする。
請求項２に記載の発明は、例えば図１１に示すように、建築物の壁面に背面を接して設置されるとともに、背板がないことにより開放した状態の背面が壁面に閉塞される壁面利用収納設備Ａであって、上部に配置される天板１と、下部に配置される底部２と、左右両側に配置される側部３と、これら天板１と底部２と左右の側部３に囲まれた空間の前面側に配置される開閉部材（扉）４ｂ及び該開閉部材４ｂを支持する矩形枠状の枠部４ａを有する開閉枠部４とを備え、これら天板１、底部２、側部３及び開閉枠部４が建築物内に運び込まれて前記壁面に背面を接した状態で組み立てられ、
前記壁面に棚板取付部１６が取り付けられ、該棚板取り付け部１６に棚板が支持されていることを特徴とする。
【０００８】
請求項１および２記載の発明によれば、収納設備Ａを壁面に設置する際に、天板１、底部２、側部３及び開閉枠部４が壁面に背面を接した状態で容易に組み立てられる。また、収納設備Ａを構成する部材が箱状ではないので、輸送時において、部材がかさばることもない。
また、請求項１記載の発明によれば、棚板８の位置が変更可能となるように、枠部４ａに棚板８が支持されるので、収納設備Ａ内部の棚板８の位置を任意に変更することができる。
請求項２記載の発明によれば、壁面１０を躯体利用して棚板を支持するので、棚板にかかる収納物にある程度の重量があるとしても、この収納物を十分に支持することができる。また、例えば、クローゼットのような大きな収納設備Ａを壁面１０に設置した場合、棚板取付部１６により壁面１０を利用して棚板及び収納物を支持するので、収納設備Ａにかかる荷重を軽減させ収納設備Ａを安定な状態で壁面１０に設置できる。特に、請求項５及び６にかかる発明であって、収納設備Ａを壁面に吊られた状態にする場合には、壁面を躯体利用して棚板を支持することが有効となる。
【０００９】
また、請求項１および２記載の発明によれば、収納設備Ａを壁面に設置する場合、予め組み立てられた箱状の収納設備なら壁面側に移動させることも壁面に仮置きすることにも手間を要したが、本発明の収納設備Ａは各部材を壁面に背面を接した状態で組み立てればよいので、施工を簡略化し作業の迅速化を図ることができる。
【００１０】
さらに、収納設備Ａを壁面に設置する際、収納設備Ａは背面が開放された状態で壁面に閉塞されるので、壁面が収納設備Ａの背板の代わりとなる。従って、少なくとも背板となる部材を減らしコストを削減できる。また、例えば、壁面に綺麗な壁紙が貼設されている場合には、壁面に設置した収納設備Ａの背面部分の壁紙を無駄にすることなく、この部分の壁紙により収納設備Ａ内部を綺麗に演出することができる。これにより、収納設備Ａが設置される壁面は、収納設備Ａを支持するだけでなく収納設備の内観をも考慮して有効に利用される。
【００１１】
また、収納設備Ａは、開閉部材４ｂと、開閉部材４ｂを支持する枠部４ａとを一体に形成するようにして開閉枠部４が構成されるので、開閉部材４ｂと枠部４ａとのユニット化を図ることができ、開閉枠部４の輸送及び管理が容易になる。また、予め開閉部材４ｂを枠部４ａに一体に形成すれば、現場での施工が容易になる。そして、天板１、底部２、側部３とに囲まれる空間に対して、開閉枠部４の左右幅を狭くするようにすれば、開閉枠部４を複数並列させて設けることも可能になる。この場合、開閉部材（例えば、扉）が取り付けられた箱体を並列させた収納設備と異なり、収納設備Ａ内部が箱体の側壁で仕切られることもないので、収納設備Ａ内部には広いスペースが確保され、収納設備Ａの収納能力を向上させることができる。
【００１２】
請求項３記載の発明は、例えば図２及び図４に示すように、建築物の壁面に背面を接して設置されるとともに、背板がないことにより開放した状態の背面が壁面に閉塞される壁面利用収納設備Ａであって、上部に配置される天板１と、下部に配置される底部２と、左右両側に配置される側部３と、これら天板１と底部２と左右の側部３に囲まれた空間の前面側に配置される開閉部材（扉）４ｂ及び該開閉部材４ｂを支持する矩形枠状の枠部４ａを有する開閉枠部４とを備え、これら天板１、底部２、側部３及び開閉枠部４が建築物内に運び込まれて前記壁面に背面を接した状態で組み立てられ、
少なくとも一方の側部３を前記壁面１０と直交するコーナ部壁面１１に接して配置することが可能とされ、かつ、前記側部３に設けられる側板として、該側板の外側の側面が、コーナ部壁面１１に接することなく露出する場合に用いられる化粧側板２０と、前記側板の外側の側面がコーナ部壁面１１に接して露出しない場合に用いられる調整材２１とが用意され、これら化粧側板２０と調整材２１とのうちのいずれかを選択して使用可能とされていることを特徴とする。
【００１３】
請求項３記載の発明によれば、側部３として化粧側板２０と調整材２１とのうちのいずれかが選択・使用されるので、収納設備Ａの左右側面側が室内に露出する場合にもコーナ部壁面１１に露出する場合にも対応できる。従って、収納設備Ａの左右両側面がコーナ部壁面１１に露出する場合（壁面が凹状に形成された場合）でも、収納設備Ａはこの壁面に対応できる。ここで、収納設備Ａの左右側面がコーナ部壁面１１に露出した場合に、高価な化粧側板に代えて安価な調整材を使用することで部材のコストを削減できる。
【００１４】
なお、化粧側板２０は、収納設備Ａの側部３が室内に露出する場合に、室内側からの外観意匠性を向上させるために設置される側板である。また、調整材２１は、収納設備Ａの側部３がコーナ部壁面１１に接する場合に、収納設備Ａとコーナ部壁面１１との間隔を調整する側板である。従って、収納設備Ａを壁面に設置する際に施工誤差が生じたとしても、調整材２１自体の厚みを変更することにより、収納設備Ａを正確に壁面に設置させることができる。
【００１５】
請求項４記載の発明は、例えば図１０に示すように、請求項３記載の収納設備Ａにおいて、前記化粧側板２０及び調整材２１の内面側に棚板を支持する棚板支持部（丸ダボ）１５が設けられていることを特徴とする。
【００１６】
請求項４記載の発明によれば、化粧側板２０及び調整材２１の内面側に棚板支持部１５が設けられているので、収納設備Ａ内部に棚板を設置することができる。従って、収納設備Ａ内の空間を棚板で仕切るようにして、収納設備Ａ内部の自由な空間利用が可能となる。また、収納設備Ａ内に棚板を設置することにより、収納物を整理した状態で収納することができる。
【００１７】
請求項５記載の発明は、例えば図１０に示すように、請求項４記載の収納設備Ａにおいて、前記調整材２１が、前側に配置される前部調整材２１ａと後ろ側に配置される後部調整材２１ｂとからなり、これら前部調整材２１ａと後部調整材２１ｂとの両方に棚板支持部（丸ダボ）１５が設けられていることを特徴とする。
【００１８】
請求項５記載の発明によれば、調整材２１が前部調整材２１aと後部調整材２１ｂとからなるので、前部調整材２１ａと後部調整材２１ｂとに挟まれるべき中間部分の調整材２１の部材コストを削減することができる。また、調整材２１は一枚の板状の部材ではなく、前部調整材２１ａ及び後部調整材２１ｂといった前後に分割された状態で扱われるので、調整材２１自体の重量が軽量化され、収納設備Ａを壁面に設置する際の調整材２１の取り扱いが容易になる。また、前部調整材２１ａと後部調整材２１ｂとの両方に棚板支持部１５が設けられているので、前後の調整材２１ａ，２１ｂにより棚板を確実に支持することができる。さらに、例えば、棚板を後部調整材２１ｂの幅と略同じにして収納設備Ａの奥側にのみ棚板を設置したい場合、後部調整材２１ｂの棚板支持部１５にのみ棚板を支持させ、収納設備Ａ内部の前面側に広いスペースを確保し、収納設備Ａの収納空間を自由に使うことができる。
【００１９】
請求項６記載の発明は、例えば図３に示すように、請求項１〜５のいずれか一つに記載の収納設備Ａにおいて、前記壁面１０に受桟１２が取り付けられ、該受桟１２に少なくとも天板１が支持されることにより、前記底部２が床面１３から離れて全体が吊られた状態となっていることを特徴とする。
【００２０】
請求項６記載の発明によれば、底部２が床面１３から離れて全体が吊られた状態となるので、例えば、住宅の内外を居住者が行き来する床面が汚れやすい玄関等の場所に収納設備Ａを設置した場合、収納設備Ａ自体の汚れを防止することができる。また、床面１３から離れて吊られた状態に収納設備Ａを設置することができるので、住宅内の不必要に壁面が開放された部分の空間を収納空間として有効に利用することができる。例えば、洗面台やキッチンの上部に吊られた状態の収納設備Ａを設けるようにすれば、日用品や料理道具等を収納でき、洗面台やキッチンの使い勝手を向上させることができる。
【００２１】
請求項７記載の発明は、例えば図６に示すように、請求項６記載の収納設備Ａにおいて、左右両側部３が前記壁面１０と直交するコーナ部壁面１１に接して配置され、該コーナ部壁面１１にも受桟（突出部材）１４が取り付けられ、前記壁面１０に取り付けられた受桟１４と前記コーナ部壁面１１に取り付けられた受桟１４との両方により吊られた状態に支持されていることを特徴とする。
【００２２】
請求項７記載の発明によれば、収納設備Ａは、収納設備Ａの背面側に配置される壁面１０と該壁面１０に直交するコーナ部壁面１１との受桟１４の両方により吊られて支持されるので、収納設備Ａを確実に壁面に設置することができる。従って、吊られた状態の収納設備Ａであっても、ある程度の重量を有する収納物を収納することができる。
【００２７】
【発明の実施の形態】
［第一の実施の形態］
以下、本発明の壁面利用収納設備（以下、収納設備と称する）に係る実施の形態について図面を参照して説明する。まず、第一の実施の形態において、収納設備の基本構成を詳細に説明する。その後、基本構成を応用した（第二乃至第五の）実施の形態について図面を参照して説明する。なお、本発明の収納設備は、建築物の壁面に背面を接して設置されるとともに、背板を使用しないことにより開放した状態の背面が壁面に閉塞されるものである。
【００２８】
図１に示すように、収納設備Ａは上部に配置される板状の天板１と、下部に配置される板状の底部２と、左右両側に配置される板状の側部３と、これら天板１と底部２と左右の側部３に囲まれた空間の前面側、すなわち収納設備Ａの室内側に配置される開閉枠部４とを備えている。
【００２９】
開閉枠部４は、矩形枠状に形成された枠部４ａと、枠部４ａに支持されるとともに収納設備Ａの前面側に向かって左右に開閉する扉４ｂ（開閉部材）とが取付金具５により一体に形成されている。また、扉４ｂの前面（表面）側には、扉４ｂを開閉する際に把持する取手部６（図１には図示されていない）が取り付けられている。なお、収納設備Ａを壁面に設置する場合、開閉枠部４の枠部４ａの外周は、天板１と底部２と側部３とによって囲まれる空間の内周よりやや小さくなるように設計され、開閉枠部４は収納設備Ａの前面側から、この空間に隙間無くはめ込まれる状態になる。また、枠部４ａの前後幅は扉４ｂが取付可能な最小幅であることが好ましい。枠部４ａの前後幅を狭くすることにより、枠部４ａと扉４ｂとが一体に形成された開閉枠部４は、輸送時においてかさばらない。
【００３０】
この場合、扉４ｂと扉４ｂを支持する枠部４ａとが一体に形成されて開閉枠部４が構成されているので、扉４ｂと枠部４ａとがユニット化され、開閉枠部４の輸送及び管理が容易になる。また、天板１と底部２と側部３とに囲まれる空間に対して、開閉枠部４の左右幅を狭くするように設計すれば、開閉枠部４を複数並列させて設けることも可能になる。
【００３１】
なお、左右の枠部４ａ（以下、左右枠部４ａと称する）に扉４ｂが取り付けられ、扉４ｂは両開きとなっているが、左右枠部４ａの左右のいずれかの側に扉４ｂを取り付けて片開きとなるようにしてもよい。また、上部の枠部４ａ（以下、上枠部４ａと称する）または下部の枠部４ａ（以下、下枠部４ａと称する）に取付金具５を設けて扉４ｂを上下に開閉するようにしてもよい。さらに、枠部４ａ内部に溝やレールを設けて、この溝やレールに引戸を沿わせて水平方向に開閉するようにしてもよい。
【００３２】
［第二の実施の形態］
次に、上記した基本構成を応用した具体的な第二の実施の形態について、図面を参照して説明する。なお、基本構成で示した構成要素については、同一の符号を付して説明を省略する。
【００３３】
図２に示すように、収納設備Ａは上下に天板１及び底部２を配置させ、天板１と底部２とに挟まれる空間に開閉枠部４を横に並列させて形成されている。詳しくは、天板１と底部２との間に挟まれる空間の前面側（室内側）に、扉４ｂを取り付けた二つの枠部４ａが横に隣接された状態ではめ込まれている。そして、これら枠部４ａに取り付けられた扉４ｂが外側に向かって左右に開閉するようになっている。
【００３４】
また、図２及び図３に示すように、開閉枠部４の左右枠部４ａの扉４ｂが設けられている側とは反対側、すなわち収納設備Ａの内部側には、棚板８を支持する棚板支持部７が取り付けられている。そして、左右枠部４ａに取り付けられた棚板支持部７に支持された状態で棚板８が複数段（図２においては三段）にわたって収納設備Ａ内部に配置されている。
【００３５】
詳細に説明すると、図３に示すように、左右枠部４ａの収納設備Ａ内部側の側面には、断面コ字状の棒状の部材である固定部９が上下に取り付けられている。
そして、固定部９に棚板支持部７が固定されるようになっている。固定部９は、固定部９の開放された部分が左右枠部４ａの側面に向かって取り付けられ、また、断面コ字状に形成された固定部９の背面部に等間隔な孔９ａが複数形成されている。
また、棚板支持部７は、棚板支持部７の基端部７ａが略直角に屈曲して形成されているとともに、基端部７ａに連続し、棚板８を載置する載置部７ｂが壁面１０（以下、壁面１０は収納設備Ａが設置される背面側の壁面を意味する）に向かって延出する部材である。そして、基端部７ａには前述の固定部９の孔９ａに係合される鉤状のフック部７ｃが形成され、フック部７ｃを孔９ａに係合させて棚板支持部７が固定部９、すなわち左右枠部４ａに固定されている（拡大図参照）。ここで、フック部７ｃは、複数形成された任意の位置の孔９ａに対して着脱自在に係合されるので、棚板支持部７は左右枠部４ａに対して着脱自在となり、棚板支持部７の左右枠部４ａに対する固定位置は任意に変更可能となる。
【００３６】
棚板８は一枚の板状の部材であり、棚板８の左右両端側が棚板支持部７の載置部７ｂに載置されている。この場合、棚板８の左右両端の前面側には切欠が形成され、この切欠部分が左右枠部４ａに嵌合されるとともに、左右枠部４ａ内で棚板８が前面側にやや突出した状態となって棚板８は棚板支持部７に支持されている。ここで、前述したように棚板支持部７は左右枠部４ａに対して着脱自在であり、かつ、上下に位置の変更が可能なので、棚板支持部７に支持される棚板８の枚数、（上下方向の）位置を任意に変更することができる。
【００３７】
また収納設備Ａは、収納設備Ａの左右両側に配置される側部３を備えている。図２に示すように、側部３に設けられる側板として、側板の外側の側面が室内側に露出する場合に用いられる化粧側板２０と、側板の外側の側面が壁面１０と直交する壁面（以下、コーナ部壁面と称する）に接する場合に用いられる調整材２１とが用意されている。
【００３８】
例えば、図４（ａ）に示すように、収納設備Ａの側部３がコーナ部壁面１１に接することなく露出した場合には、側部３に設けられる側板として化粧側板２０を使用する。また、図４（ｂ）に示すように、側部３がコーナ部壁面１１に接する場合には、側部３に設けられる側板として調整材２１を使用する。従って、収納設備Ａが設置される壁面を考慮して、化粧側板２０と調整材２１のうちのいずれかを選択して使用することができる。
【００３９】
そして、上述した収納設備Ａは、図３に示すように、天板１の長さと略同じ長さを有する長尺な部材であるとともに壁面１０に固定された受桟１２に少なくとも天板１が支持されることにより、底部２が床面１３から離れて収納設備Ａ全体が吊られた状態となっている。この場合、天板１の壁面１０側の端部は壁面１０に当接するとともに受桟１２の上部１２ａに固定されて、収納設備Ａは受桟１２により支持されている。また、底部２及び棚板支持部７も壁面１０に対して直角に当接した状態になっている。さらに、図３には示されていないが、収納設備Ａの左右両側に使用される化粧側板２０または調整材２１が、収納設備Ａの左右両側に取り付けられている。
【００４０】
次に、本発明の収納設備Ａの壁面１０への設置方法について図５を参照して説明する。まず最初に収納設備Ａの設置位置を決定する。そして、天板１が取り付けられる位置に受桟１２を木ネジ等により壁面１０に固定し、図５（ａ）に示すように、天板１の左右両端に側部３を予め木ネジ等により固定したものを、受桟１２に固定する。その後、図５（ｂ）に示すように、底部２を左右の側部３の下部に木ネジ等により固定する。この状態において、収納設備Ａは天板１・底部２・側部３とによって略四角形状に形成され、図５（ｃ）に示すように、開閉枠部４を天板１・底部２・側部３とによって囲まれた空間の前面側にはめ込み、開閉枠部４を天板１・底部２・側部３に木ネジ等により固定する。最後に、固定された開閉枠部４に棚板支持部及び棚板を設ける。
【００４１】
なお、図５の場合のように収納設備Ａの左右両側が室内に露出する場合には、側部３として化粧側板２０を使用する。また、収納設備Ａの左右の少なくとも一方の側がコーナ部壁面１１に露出する場合には側部３として調整材２１を使用する。この場合、調整材２１をコーナ部壁面１１に木ネジ等により固定してもよいし、しなくてもよい。
【００４２】
これらの工程によって、収納設備Ａは、底部２が床面１３から離れて吊られた状態となり、収納設備Ａの壁面１０への設置が完了する。なお、収納設備Ａは受桟１２に少なくとも天板１が支持されて吊られ、受桟１２に固定された天板１に、底部２・開閉枠部４・棚板８等の部材の重量が負荷される状態となっている。しかし、底部２・側部３の壁面１０側の端部を壁面１０に当接させて、収納設備Ａ全体の重量負荷を壁面１０に伝わらせることで、天板１にかかるこれら部材の負荷を軽減させている。この状態で収納設備Ａが壁面１０に不安定に設置される場合には、例えば、底部２と壁面１０の間にＬ字金具を取り付けたり、底部２を受桟に支持させる等の施工を行えばよい。
【００４３】
以上、第二の実施の形態に係る収納設備によれば、従来のように箱体を予め組み立てておき壁面に設置するのではなく、収納設備Ａの背面を壁面に接した状態で天板１・底部２・側部３・開閉枠部４等の組立を容易に行い、収納設備Ａを壁面１０に設置できる。また、収納設備Ａを構成する部材が箱体ではないので、輸送時において、部材がかさばることもない。さらに、予め組み立てられた箱状の収納設備であれば、この収納設備を壁面側に移動させることにも壁面に仮置きすることにも手間を要するが、収納設備Ａは壁面１０に背面を接した状態で組み立てればよいので、施工を簡略化し作業の迅速化を図ることができる。
【００４４】
また、収納設備Ａは、背面が開放された状態で壁面１０に閉塞されるので、壁面１０が収納設備の背板の代わりとなる。従って、少なくとも背板となる部材を減らしコストを削減できる。また、例えば、壁面１０に綺麗な壁紙が貼設されている場合には、壁面１０に設置した収納設備Ａの背面部分の壁紙を無駄にすることなく、この部分の壁紙により収納設備Ａ内部を綺麗に演出することができる。これにより、壁面１０は、収納設備Ａを支持するだけでなく収納設備Ａの内観をも考慮して有効に利用される。
【００４５】
さらに、収納設備Ａは、側部３の側板として化粧側板２０と調整材２１とのうちのいずれかが選択・使用されるので、収納設備の左右の側が室内に露出する場合にもコーナ部壁面１１に露出する場合にも対応できる。従って、例えば、収納設備Ａの左右両側がコーナ部壁面１１に露出する場合（壁面が凹状に形成された場合）でも収納設備Ａを壁面に容易に対応させて設置できる。ここで、収納設備Ａの左右の側がコーナ部壁面１１に露出する場合に、高価な化粧側板ではなく安価な調整材を使用することでコスト削減を図ることができる。
【００４６】
また、収納設備Ａは、底部２が床面１３から離れて全体が吊られた状態となるので、例えば、住宅の内外を居住者が行き来するような床面１３が汚れやすい玄関等の場所に収納設備Ａを設置するようにすれば、収納設備Ａ自体の汚れを防止することができる。また、受桟１２により少なくとも天板１が支持されて、吊られた状態に収納設備Ａを設置することができるので、住宅内の不必要に壁面が開放された部分の空間を収納空間として有効に利用することができる。例えば、洗面台やキッチンの上部に吊られた状態の収納設備Ａを設けるようにすれば、日用品や料理道具等を収納でき、洗面台やキッチンの使い勝手を向上させることができる。
【００４７】
［第三の実施の形態］
次に、第三の実施の形態について図面を参照して説明する。なお、構成要素が第一・第二の実施の形態で説明したものと同様である場合には、同一の符号を付して説明を省略する。
【００４８】
図６及び７に示すように、天板１と底部２とが取り付けられる壁面１０及びコーナ部壁面１１には、天板１及び底部２を支持するために壁面１０及びコーナ部壁面１１表面から室内側に向かって突出する長尺状の突出部材１４（受桟）が固定されている。詳しくは、突出部材１４は壁面１０及びコーナ部壁面１１に連続して略コ字状に横方向に形成されている。そして、突出部材１４は木質からなる角材を横方向に配置して木ネジ等により壁面１０及びコーナ部壁面１１に固定することにより形成されるものである。また、天板１及び底部２の壁面１０及びコーナ部壁面１１側の端面には、突出部材１４がはめ込まれる凹状のはめ込み凹部１ａ，２ａ（溝）が形成されている。
【００４９】
そして、天板１及び底部２を壁面１０及びコーナ部壁面１１に設置する際には、天板１及び底部２のはめ込み凹部１ａ，２ａを左右のコーナ部壁面１１の突出部材１４にはめ込みスライドさせる。その後、天板１及び底部２の背面側に相当するはめ込み凹部１ａ，２ａを壁面１０の突出部材１４にはめ込み、天板１及び底部２が受桟となる突出部材１４に支持される。そして、開閉枠部４を天板１及び底部２の間にはめ込み、その後、木ネジ等により固定し、収納設備Ａ全体が吊られた状態で、壁面１０及び壁面１０を左右から囲むコーナ部壁面１１に設置される。
【００５０】
なお図８に示すように、収納設備Ａの左右両側はコーナ部壁面１１に接するので、調整材２１を用意・使用し、収納設備Ａの左右両側とコーナ部壁面１１との隙間を調整する。また図８及び図９に示すように、開閉枠部４の左右枠部４ａに棚板支持部７を設けて棚板８を支持させ、収納設備Ａ内部に棚板８を設けるようにしてもよい。
【００５１】
以上、第三の実施の形態に係る収納設備Ａによれば、収納設備Ａは壁面１０とコーナ部壁面１１との突出部材１４の両方により支持され吊られた状態となるので、収納設備Ａを確実に壁面へ設置することができる。従って、収納設備Ａは吊られた状態であっても、ある程度の重量を有する収納物を収納することができる。
【００５２】
［第四の実施の形態］
次に、第四の実施の形態について説明する。なお、前述した第一乃至第三の実施の形態と同様の構成要素については同一の符号を付して、説明を省略する。
【００５３】
図１０に示すように、収納設備Ａが壁面１０とコーナ部壁面１１とから構成される入隅状の壁面に設置される場合であって、コーナ部壁面１１に接する側部３として調整材２１が使用される。この調整材２１は収納設備Ａの前側に配置される前部調整材２１ａと、収納設備Ａの奥側に配置される後部調整材２１ｂとからなる。そして、前部調整材２１ａと後部調整材２１ｂとが互いに平行に離間してコーナ部壁面１１に木ネジ等により固定されている。
【００５４】
また、前部調整材２１ａ及び後部調整材２１ｂの内面側に上下に略同じ間隔を開けて丸ダボ１５（棚板支持部）が植え込まれている。さらに、コーナ部壁面１１に接することなく露出した状態の収納設備Ａの側面側であって、これら調整材２１ａ，２１ｂの対向する位置に配置される化粧側板２０の内面側にも丸ダボ１５が植え込まれている（図１０では隠れて見えない）。そして、前部及び後部調整材２１ａ，２１ｂ及び化粧側板２０に植え込まれた丸ダボ１５に支持されて、収納設備Ａ内部に棚板８が設けられるようになっている。さらに、図示しないが、天板１・前部調整材２１ａ・化粧側板２０・底部２で囲まれる空間の前面側に開閉枠部が設けられている。
【００５５】
なお、詳細な説明は省略するが、収納設備Ａを設置する際には、まず、前後の調整材２１ａ，２１ｂをコーナ部壁面１１に固定する。その後、壁面１０に固定された受桟（図示しない）に天板１を固定する。この場合、天板１の端部をコーナ部壁面１１に当接させるとともに、この端部が前後の調整材２１ａ，２１ｂの上部にも当接するようにして、天板１を固定する。そして、底部２、化粧側板２０、開閉枠部４を天板１に支持されるように組立・固定する。また、収納設備Ａの左右両側がコーナ部壁面１１に接する場合には、収納設備Ａの左右両側に前述した前後の調整材２１ａ，２１ｂを使用すればよい。
【００５６】
なお、天板１を壁面１０に固定する際に、受桟に支持させるのではなく、前後の調整材２１ａ，２１ｂの上部間に丸ダボが設けられたスペーサーを挟み込み、前後の調整材２１ａ，２１ｂ、スペーサー及び化粧側板２０の丸ダボ１５に天板１を支持させるようにしてもよい。また、前後の調整材２１ａ，２１ｂの下部間にもスペーサーを設けるようにしてもよい。この場合、収納設備Ａ内部の前後の調整材２１ａ，２１ｂの下部間の隙間に収納物がはさまったり、また、この隙間から収納物が落ちたりすることもない。
【００５７】
以上、第四の実施の形態に係る収納設備Ａによれば、化粧側板２０及び調整材２１の内面側に丸ダボ１５が設けられているので、収納設備Ａ内部に棚板を設置することができる。従って、収納設備Ａ内の空間を棚板で仕切るようにして、収納設備Ａ内部の自由な空間利用が可能となる。また、収納設備Ａ内に棚板を設置することにより、収納物を整理した状態で収納することができる。
【００５８】
また、調整材２１が前部調整材２１ａと後部調整材２１ｂとからなるので、前部調整材２１ａと後部調整材２１ｂとに挟まれるべき中間部分の調整材の部材コストを削減することができる。また、調整材２１は一枚の板状の部材ではなく、前部調整材２１ａ及び後部調整材２１ｂといった前後に分割された状態で扱われるので、調整材２１自体の重量が軽量化され、収納設備Ａを壁面に設置する際には、調整材２１の取り扱いが容易になる。
【００５９】
また、前部調整材２１ａと後部調整材２１ｂとの両方に丸ダボ１５が設けられているので、前後の調整材２１ａ，２１ｂにより棚板を確実に支持することができるようになる。さらに、例えば、棚板を後部調整材２１ｂの幅と略同じにして収納設備Ａの奥側にのみ棚板を設置したい場合にも、後部調整材２１ｂの丸ダボ１５にのみ棚板を支持させることで、収納設備Ａ内部の前面側に広いスペースを確保し、収納空間を自由に使うことができるようになる。
【００６０】
［第五の実施の形態］
次に、第五の実施の形態について説明する。なお、前述した第一乃至第四の実施の形態と同様の構成要素については同一の符号を付して、説明を省略する。
【００６１】
図１１に示すように、（例えば、クローゼットととして用いられる）収納設備Ａの背面側の壁面１０には、棚板（図示しない）を支持する棚板取付部１６が上下に複数設けられている。棚板取付部１６は壁面１０に取り付けられる基端部１６ａと、基端部１６ａから収納設備Ａ内部に延出して棚板が載置される載置部１６ｂとからなる。
【００６２】
基端部１６ａは壁面１０の上下に連続して固定されたレール状の支持レール１７に嵌合されて、棚板取付部１６が上下にスライド移動できるようになっている。また、載置部１６ｂは基端部１６ａから収納設備Ａ内部に延出して棚板が載置されるとともに、棚板を支持することができる。従って、収納設備Ａ内部で棚板が設置された場合には、棚板は棚板取付部１６とともに上下に移動可能となる。
【００６３】
また、収納設備Ａの下部には、収納設備Ａ全体を支持する設備支持部１９が設けられている。設備支持部１９は、収納設備Ａの全幅にわたって延在する長尺な部材であって、底部２の下面の壁面１０側及び収納設備Ａの設置された前面側に設けられ、収納設備Ａ全体を支持する。従って、収納設備Ａは設備支持部１９によって支持されて、床面１３よりやや高い位置に配置されている。
【００６４】
さらに、収納設備Ａの前面側には、枠部４ａと扉４ｂとがパネル化された開閉枠部４が横に並列されて設けられている。このように、天板１・底部２・側部３とから囲まれる空間に、開閉枠部４を隣接させて複数並列させれば、従来のような扉を有する箱状の収納設備を隣接させて壁面に取り付ける必要はない。従って、従来であれば収納設備内部は箱体の側壁に仕切られていたものが、開閉枠部４を並列させることで収納設備Ａ内部の仕切りを排除し、収納設備Ａの内部空間を広く確保することができ、収納設備Ａの収納能力も向上する。例えば、図１１に示すように、棚板取付部１６の載置部１６ｂの先端にハンガーパイプ１８を係合させ、ハンガーパイプ１８を収納設備Ａ内部で左右にわたって架け渡すこともできる。
【００６５】
なお、詳細な説明は省略するが、収納設備Ａを設置する際には、まず収納設備Ａを設置する壁面１０に、複数の支持レール１７を間隔を開けて上下方向にそれぞれ固定する。そして、固定された複数の支持レール１７に棚板取付部１６の基端部１６ａを嵌合させ、複数の棚板取付部１６を壁面１０に取り付ける。その後、収納設備Ａ全体が設備支持部１９により支持されるように、設計的観点から天板１、底部２、開閉枠部４等を適宜組み立て、固定し、収納設備Ａの壁面１０への設置を行う。また、前述したように、収納設備Ａの左右両側においては、側部３が室内に露出する場合には側板として化粧側板２０を使用し、側部３がコーナ部壁面１１に接する場合には側板として調整材２１を使用する。
【００６６】
以上、第五の実施の形態に係る収納設備Ａによれば、壁面１０を躯体利用して棚板を支持するので、棚板にかかる収納物に、ある程度の重量があるとしても、この収納物を十分に支持することができる。また、例えば、クローゼットのような大きな収納設備Ａを壁面１０に設置する際に、棚板取付部１６により壁面１０を利用して棚板及び収納物を支持するので、収納設備Ａにかかる荷重を軽減させ収納設備Ａを安定な状態で壁面１０に設置できる。
【００６７】
【発明の効果】
請求項１記載の発明によれば、壁面利用収納設備を容易に組み立てて、壁面に設置することができるとともに、背面側の壁面を有効に利用することができる。また、壁面利用収納設備は、輸送時において部材がかさばることもない。さらに、本発明の壁面利用収納設備は、背板を使用しないことにより、少なくとも背板となる部材を減らしコストを削減できる。また、開閉部材と、開閉部材を支持する枠部とを一体に形成するようにして開閉枠部を構成するので、開閉部材と枠部とのユニット化を図ることができ、開閉枠部の輸送及び管理が容易になる。
【００６８】
請求項２記載の発明によれば、壁面利用収納設備の左右側面側が室内に露出する場合にも壁面（コーナ部壁面）に露出する場合にも対応できる。
【００６９】
請求項３記載の発明によれば、壁面利用収納設備内部に棚板を設置することができる。また、壁面利用収納設備内に棚板を設置することにより、収納物を整理した状態で収納することができる。
【００７０】
請求項４記載の発明によれば、調整材の部材コストを削減することができる。また、調整材自体の重量が軽量化され、収納設備を壁面に設置する際には、調整材の取り扱いが容易になる。また、前部調整材と後部調整材との両方に棚板支持部が設けられているので、前後の調整材により棚板を確実に支持することができる。
【００７１】
請求項５記載の発明によれば、底部が床面から離れて全体が吊られた状態となるので、例えば、玄関等の場所に壁面利用収納設備を設置するようにすれば、収納設備自体の汚れを防止することができる。また、床面から離れて吊られた状態に壁面利用収納設備を設置することができるので、住宅内の不必要に壁面が開放された部分の空間を収納空間として有効に利用することができる。
【００７２】
請求項６記載の発明によれば、壁面利用収納設備を確実に壁面に設置することができる。従って、本発明のの壁面利用収納設備が吊られた状態であっても、ある程度の重量を有する収納物を収納することができる。
【００７３】
請求項７記載の発明によれば、壁面利用収納設備内部の棚板の位置を任意に変更することができる。
【００７４】
請求項８記載の発明によれば、棚板にかかる収納物にある程度の重量があるとしても、この収納物を十分に支持することができる。また、棚板取付部により壁面を躯体利用して棚板及び収納物を支持するので、壁面利用収納設備にかかる荷重を軽減させ、壁面利用収納設備を安定な状態で壁面に設置できる。
【図面の簡単な説明】
【図１】第一の実施の形態に係る壁面利用収納設備の基本構成を示す斜視図である。
【図２】第二の実施の形態に係る壁面利用収納設備を示す斜視図である。
【図３】前記壁面利用収納設備を示す縦断側面図である。
【図４】前記壁面利用収納設備を種々の壁面に設置した場合を示す平面図である。
【図５】前記壁面利用収納設備の壁面への設置を説明するための概略図である。
【図６】第三の実施の形態に係る壁面利用収納設備を示す斜視図である。
【図７】前記壁面利用収納設備を示す縦断側面図である。
【図８】前記壁面利用収納設備を示す斜視図である。
【図９】前記壁面利用収納設備を示す縦断側面図である。
【図１０】第四の実施の形態に係る壁面利用収納設備を示す斜視図である。
【図１１】第五の実施の形態に係る壁面利用収納設備を示す（ａ）正面図（ｂ）縦断側面図である。
【符号の説明】
Ａ      壁面利用収納設備
１      天板
２      底部
３      側部
４      開閉枠部
４ａ    枠部
４ｂ    扉（開閉部材）
８      棚板
１０    壁面
１１    コーナ部壁面
１２    受桟
１４    突出部材（受桟）
１５    丸ダボ（棚板支持部）
１６    棚板取付部
２０    化粧側板
２１    調整材
２１ａ  前部調整材
２１ｂ  後部調整材
【図１】
0004589537.tif 000002
【図２】
0004589537.tif 000003
【図３】
0004589537.tif 000004
【図４】
0004589537.tif 000005
【図５】
0004589537.tif 000006
【図６】
0004589537.tif 000007
【図７】
0004589537.tif 000008
【図８】
0004589537.tif 000009
【図９】
0004589537.tif 000010
【図１０】
0004589537.tif 000011
【図１１】
0004589537.tif 000012